(57)【特許請求の範囲】
【請求項１】
ラスタ走査メモリ内に蓄積された対応データ・ワードの値に応じたカラー・パラメータで、信号事象を表すドットを表示するラスタ走査型デジタル信号取込み及び波形表示装置の動作方法であって、
ユーザ・インタフェース制御要素から単一のカラー・パラメータ制御値を受けるステップと、
該単一のカラー・パラメータ制御値に応答して、上記ラスタ走査メモリ内に蓄積された上記データ・ワードの値自体に影響を及ぼすように、互いに独立した少なくとも２個の制御値を発生するステップとを具え、
上記装置は、事象の発生毎に第１変数により決まる量だけ上記事象に対応する上記データ・ワードの値を増加させるラスタライザと、単位時間当たり第２変数により決まる値だけ上記ラスタ走査メモリ内の総てのゼロでないデータ・ワードの値を減少させる減衰処理回路とを有し、
上記単一のカラー・パラメータ制御値を入力として上記第１変数及び上記第２変数の両方に適用させることを特徴とするラスタ走査型デジタル信号取込み及び波形表示装置の動作方法。
【請求項２】
ラスタ走査メモリ内に蓄積された対応データ・ワードの値に応じたカラー・パラメータで、信号事象を表すドットを表示するラスタ走査型デジタル信号取込み及び波形表示装置の動作方法であって、
ユーザ・インタフェース制御要素から単一のカラー・パラメータ制御値を受けるステップと、
該単一のカラー・パラメータ制御値に応答して、上記ラスタ走査メモリ内に蓄積された上記データ・ワードの値自体に影響を及ぼすように、互いに独立した少なくとも２個の制御値を発生するステップとを具え、
上記ユーザ・インタフェース制御要素は、少なくとも１個の動作レンジを有し、
上記単一のカラー・パラメータ制御値を増加させることにより、最小輝度を略一定に維持しながら最大輝度を増加させる
ことを特徴とするラスタ走査型デジタル信号取込み及び波形表示装置の動作方法。
【請求項３】
ラスタ走査メモリ内に蓄積された対応データ・ワードの値に応じたカラー・パラメータで、信号事象を表すドットを表示するラスタ走査型デジタル信号取込み及び波形表示装置の動作方法であって、
ユーザ・インタフェース制御要素から単一のカラー・パラメータ制御値を受けるステップと、
該単一のカラー・パラメータ制御値に応答して、上記ラスタ走査メモリ内に蓄積された上記データ・ワードの値自体に影響を及ぼすように、互いに独立した少なくとも２個の制御値を発生するステップとを具え、
上記ユーザ・インタフェース制御要素は、少なくとも１個の動作レンジを有し、
上記単一のカラー・パラメータ制御値を増加させることにより、第１レートにて最大輝度を増加させながら、上記第１レートよりも低い第２レートにて最小輝度を増加させる
ことを特徴とするラスタ走査型デジタル信号取込み及び波形表示装置の動作方法。
【請求項４】
ラスタ走査メモリ内に蓄積された対応データ・ワードの値に応じたカラー・パラメータで、信号事象を表すドットを表示するラスタ走査型デジタル信号取込み及び波形表示装置の動作方法であって、
ユーザ・インタフェース制御要素から単一のカラー・パラメータ制御値を受けるステップと、
該単一のカラー・パラメータ制御値に応答して、上記ラスタ走査メモリ内に蓄積された上記データ・ワードの値自体に影響を及ぼすように、互いに独立した少なくとも２個の制御値を発生するステップとを具え、
上記ユーザ・インタフェース制御要素は、少なくとも１個の動作レンジを有し、
上記単一のカラー・パラメータ制御値を増加させることにより、最大輝度及び最小輝度の両方を増加させる
ことを特徴とするラスタ走査型デジタル信号取込み及び波形表示装置の動作方法。
【請求項５】
ラスタ走査メモリ内に蓄積された対応データ・ワードの値に応じたカラー・パラメータで、信号事象を表すドットを表示するラスタ走査型デジタル信号取込み及び波形表示装置の動作方法であって、
ユーザ・インタフェース制御要素から単一のカラー・パラメータ制御値を受けるステップと、
該単一のカラー・パラメータ制御値に応答して、上記ラスタ走査メモリ内に蓄積された上記データ・ワードの値自体に影響を及ぼすように、互いに独立した少なくとも２個の制御値を発生するステップとを具え、
上記ユーザ・インタフェース制御要素は、少なくとも第１動作レンジ及び第２動作レンジを有し、
上記第１動作レンジにて、上記単一のカラー・パラメータ制御値を増加させることにより、最小輝度を略一定に維持しながら最大輝度を増加させ、
上記第２動作レンジにて、上記単一のカラー・パラメータ制御値を増加させることにより、最大輝度及び最小輝度の両方を増加させる
ことを特徴とするラスタ走査型デジタル信号取込み及び波形表示装置の動作方法。
【請求項６】
ラスタ走査メモリ内に蓄積された対応データ・ワードの値に応じたカラー・パラメータで、信号事象を表すドットを表示するラスタ走査型デジタル信号取込み及び波形表示装置の動作方法であって、
ユーザ・インタフェース制御要素から単一のカラー・パラメータ制御値を受けるステップと、
該単一のカラー・パラメータ制御値に応答して、上記ラスタ走査メモリ内に蓄積された上記データ・ワードの値自体に影響を及ぼすように、互いに独立した少なくとも２個の制御値を発生するステップとを具え、
上記ユーザ・インタフェース制御要素は、少なくとも１個の動作レンジを有し、
上記単一のカラー・パラメータ制御値を増加させることにより、最大輝度を略一定に維持しながら最小輝度を増加させる
ことを特徴とするラスタ走査型デジタル信号取込み及び波形表示装置の動作方法。
【請求項７】
ラスタ走査メモリ内に蓄積された対応データ・ワードの値に応じたカラー・パラメータで、信号事象を表すドットを表示するラスタ走査型デジタル信号取込み及び波形表示装置の動作方法であって、
ユーザ・インタフェース制御要素から単一のカラー・パラメータ制御値を受けるステップと、
該単一のカラー・パラメータ制御値に応答して、上記ラスタ走査メモリ内に蓄積された上記データ・ワードの値自体に影響を及ぼすように、互いに独立した少なくとも２個の制御値を発生するステップとを具え、
上記ユーザ・インタフェース制御要素は、少なくとも１個の動作レンジを有し、
上記単一のカラー・パラメータ制御値を増加させることにより、現在の輝度と又は、表示の他の部分に対するコントラストと独立して、希に生じるドットの輝度を増加させる
ことを特徴とするラスタ走査型デジタル信号取込み及び波形表示装置の動作方法。
【請求項８】
ラスタ走査メモリ内に蓄積された対応データ・ワードの値に応じたカラー・パラメータで、信号事象を表すドットを表示するラスタ走査型デジタル信号取込み及び波形表示装置の動作方法であって、
ユーザ・インタフェース制御要素から単一のカラー・パラメータ制御値を受けるステップと、
該単一のカラー・パラメータ制御値に応答して、上記ラスタ走査メモリ内に蓄積された上記データ・ワードの値自体に影響を及ぼすように、互いに独立した少なくとも２個の制御値を発生するステップとを具え、
上記ユーザ・インタフェース制御要素は、少なくとも第１動作レンジ、第２動作レンジ及び第３動作レンジを有し、
上記第１動作レンジにて、上記単一のカラー・パラメータ制御値を増加させることにより、最小輝度を略一定に維持しながら最大輝度を増加させ、
上記第２動作レンジにて、上記単一のカラー・パラメータ制御値を増加させることにより、最大輝度及び最小輝度の両方を増加させ、
上記第３動作レンジにて、上記単一のカラー・パラメータ制御値を増加させることにより、最大輝度を略一定に維持しながら最小輝度を増加させる
ことを特徴とするラスタ走査型デジタル信号取込み及び波形表示装置の動作方法。
【発明の詳細な説明】
【０００１】
【発明の属する技術分野】
本発明は、ラスタ走査型デジタル・オシロスコープなどのラスタ走査型デジタル信号取込み及び波形表示装置において、表示輝度及びコントラストなどのカラー・パラメータを制御する方法に関する。
【０００２】
【従来の技術】
オシロスコープは、電気信号のアクティビティをユーザに示す。従来のアナログ・オシロスコープにおいては、陰極線管のフェースプレートの内面上に被覆された蛍光体に入射する電子ビームにより、波形表示が行われる。フェースプレート上の電子ビームの入射点は、このフェースプレートを横切って一定の速度で水平に（Ｘ方向に）掃引されると共に、被観察信号の振幅の関数で垂直に（Ｙ方向に）偏向される。
【０００３】
波形表示の概観に影響を与える２つの変数は、表示の輝度（表示が放射する全体的な光の強さ）と、表示のコントラスト（表示の最も明るく照らされた要素が放射する光強度と、表示の最も薄暗く照らされた要素が放射する光強度との比）とである。
【０００４】
従来のアナログ・オシロスコープのユーザ・インタフェースは、表示された波形の輝度を制御する単一のノブ（摘み）を具えている。なお、輝度は、カラー・パラメータの１つである。このノブは、典型的には、輝度制御と記されており、陰極線管の電子銃に供給する電流を制御する。輝度制御ノブが所定の設定であると、波形のセグメントが表示される輝度は、このセグメントが表す事象が生じた際の周波数と、このセグメントの傾きにより決まる。低輝度設定においては、ユーザは、稀にしか生じない事象又は特に高速なエッジである波形の特徴を見ることができない場合もある。よって、完全に波形が見えるようになるまで、ユーザは、設定値を増加させる。そして、この点にて、低速エッジ及び高速エッジの間で、また、より頻繁に生じる事象及び稀にしか生じない事象の間で、一般には、顕著なコントラストが生じる。ノブにより輝度を更に増加することにより、最大輝度に達するまで、波形の総てのセグメントの輝度が増加する。より頻繁に生じる事象の輝度は、最大電流値により制限される。また、より稀にしか生じない事象の輝度は、ノブの輝度増加に応じて増加し続けて、コントラストが低下する。
【０００５】
従来のアナログ・オシロスコープは、一般的な測定機器である。多くの技能者及び技術者は、輝度制御ノブの回転に応答して表示が変化する方法に慣れ親しんでいる。
【０００６】
多チャンネル・オシロスコープにおいて、異なる色相は、信号チャンネルに夫々関連しており、例えば、緑色があるチャンネルに関連し、赤色が他のチャンネルに関連する。輝度を下げるために、輝度制御ノブを反時計回転方向に回転すると、この影響により、所定色相の波形が表示される際の彩度（飽和度）が下がる。
【０００７】
カラー温度表示（温度をカラーで表す表示）において、異なる色相は、異なる輝度レンジ（輝度範囲）に関連している。すなわち、より赤い色相は、より高い輝度レンジに関連しており、より青い色相は、より低い輝度レンジに関連している。輝度制御ノブを時計回転方向に回転させると、この影響により、所定輝度に関連した色相がスペクトルの赤の端部に向かう。
【０００８】
図２は、従来のラスタ走査型デジタル・オシロスコープの機能を説明するブロック図である。この従来のデジタル・オシロスコープは、ピクセルの２次元配列を有する表示パネル１０を具えており、各ピクセル位置は、行番号及び列番号により特定される。オシロスコープは、２次元のアドレス空間を有するラスタ走査メモリ１４も含んでいる。このラスタ走査メモリ内のメモリ記憶位置は、表示パネル１０のピクセル位置に１対１で割り当てられている（マッピングされている）。各ピクセルの状態は、ラスタ走査メモリ１４内の対応するメモリ記憶位置の内容に依存する。
【０００９】
図２に示すオシロスコープの場合、ラスタ走査メモリは、各ピークに対してｎビットの情報を蓄積する。ここで、ｎは、１よりも大きい整数である。よって、各ピクセルは、２ｎ個の明るさ状態を有する。状態の１つがオフであり、他の状態は、２ｎ−１個あり、ピクセルが異なる各輝度で明るくされる。よって、例えば、４ビットの深さのラスタ走査メモリは、中間から最大輝度までの１５レベル（グレー・スケール・レベル）と、暗い状態又はオフ状態とを維持できる。
【００１０】
信号の特性及びオシロスコープの設定に依存して、ピクセルの所定列（Ｙ方向の列）は、１個以上の明るくなったピクセル（本明細書では、ドットと呼ぶこともある）を含んでいることもある。各列は、ベクトルを表示し、このベクトルは、列の最も上のドットと、この列の最も下のドットとの間の列のセグメントとして定義される。
【００１１】
ベクトルの輝度は、このベクトルにおけるドットの輝度の和に依存する。ドットの輝度がラスタ走査メモリの対応記憶位置内に蓄積されたデータ・ワードの値に比例すると、ベクトルの明るさ（輝度）は、ベクトル内のドットのデータ・ワードの和に比例する。表示の輝度は、総てのベクトルの輝度の和であるので、総てのベクトルのドットのデータ・ワードの和に比例する。
【００１２】
図２に示すデジタル・オシロスコープは、電子回路内の試験点における電気信号を捕捉するための入力端子を有するＡ／Ｄ変換器１８も具えている。このＡ／Ｄ変換器１８は、取込み期間中に信号をサンプリングし、これらサンプルを量子化して、一連のデジタル・データ・ワードを発生する。このＡ／Ｄ変換器が発生したデータ・ワードは、Ｄ１〜ＤＮの値を有しており、線形波形記録として、取込みメモリ２２に蓄積される。なお、この取込みメモリ２２は、１次元のアドレス空間Ａ１〜ＡＮを有する。
【００１３】
取込みが完了した際、取込みメモリ２２に蓄積された線形波形記録をラスタライザ（ラスタ化回路）２６に供給する。このラスタライザ２６は、供給された波形記録からラスタ化された波形記録を発生し、ラスタライザ・メモリ３０に蓄積する。このラスタライザ・メモリ３０は、２次元アドレス空間（Ｘ１〜ＸＮ、Ｙ１〜ＹＮ）を有する。（共通のサフィクス（接尾文字）Ｎを簡略化のために用いる。しかし、例えば、セット｛Ｘｉ｝内の要素の数がセット｛Ａｉ｝の要素の数と同じであることを示すものではない。）ラスタライザ・メモリ３０内に蓄積されたラスタ化波形（ラスタ化された波形）記録内のデータ・ワードのアドレスのＸ成分は、線形波形記録の少なくとも１ワードのアドレスＡｉから導出したものである。また、アドレスのＹ成分は、線形波形記録の少なくとも１ワードの値Ｄｉから導出したものである。
【００１４】
データ・ワードが蓄積されているラスタライザ・メモリ３０のアドレス（Ｘｉ、Ｙｉ）の各組み合わせは、時間（Ｘｉに依存する）及び信号レベル（Ｙｉに依存する）の組み合わせにより決まる事象を表す。
【００１５】
ラスタ化された波形記録を、ラスタ走査メモリ１４内に蓄積された既存の表示記録に加算して、表示パネル１０の状態を制御できる。次に、数値がデータ・ワードを１０進で表す図３を参照する。図３Ａは、新たな取込みのラスタ化波形記録を加算する前における表示パネルの隣接した３列のオリジナルの表示記録を示す。図３Ｂは、新たな取込みの対応期間におけるラスタ化波形記録を示す。図３Ｃは、図３Ｂのラスタ化波形記録を図３Ａの表示記録に加算して得た更新表示記録を示す。よって、多数の取込み期間中に同じ事象が生じると、ラスタ走査メモリ１４内でその事象を表すデータ・ワードの値が増加する。
【００１６】
再び図２を参照する。減衰処理回路３４は、ラスタ走査メモリ１４の内容に影響する。この減衰処理回路３４は、ラスタ走査メモリ１４内の各記憶位置に蓄積された値を、単位時間当たり所定量（選択された値）だけ減らす。よって、稀にしか生じない事象は、より頻繁に生じる事象に比較して、低い輝度で表示される。
【００１７】
このオシロスコープは、図２に示す他の構成要素の動作を制御する制御器３８と、ユーザがオシロスコープの設定を調整できるようにするユーザ制御器４２も含んでいる。
【００１８】
ドット・モードと呼ばれるラスタ化の既知の技術において、ラスタ化波形記録のデータ・ワードのアドレス（Ｘｉ、Ｙｉ）を、線形波形記録の単一のデータ／アドレス対から得る。よって、ラスタ化波形記録内のデータ・ワードは、線形波形記録のデータ／アドレス対と１対１で対応している。
【００１９】
オシロスコープのユーザに示される波形が、ドット間に水平又は垂直の顕著なギャップが生じないで、ほぼ連続することを考慮することは一般的に望ましい。しかし、ラスタライザがドット・モードで動作すると、表示のドット間にギャップが生じる。よって、信号及びオシロスコープの設定に依存して、ラスタ化のドット・モードが適切に考慮されないこともある。
【００２０】
フル・ベクトル・モードと呼ばれる他の既知のモードにおいて、ラスタ化波形記録は、線形波形記録のデータ／アドレス対から夫々導出したデータ・ワードばかりでなく、波形が連続していることを確実にするためにラスタライザにより合成された追加のデータ・ワードも含んでいる。よって、ベクトルの端点は、隣接するベクトルの端点から垂直に１ピクセル未満でオフセットされている。また、ベクトルのこれら２個の端点の間の総てのピクセルと共に、これら２個の端点自体も明るくされる。
【００２１】
例えば、１９９８年２月１９日に出願されたアメリカ合衆国特許出願第０９／０２６１８５号（特願平１１−３７８１８号に対応）に記載されているように、ラスタ化の散在ベクトル・モードでは、ベクトルの端点が隣接したベクトルから垂直に１ピクセルよりも大きくオフセットしているかもしれない。また、所定ベクトル内の２ドット間に１ピクセル以上のギャップがあるかもしれない。この散在ベクトル・モード内に無作為化を施す。よって、連続した取込みにおける複数の線形波形記録がたとえ同一であっても、各ラスタ化波形記録は、一般的には、厳密には同じでないかもしれないし、１つの取込みで作成されたベクトル内のギャップが、後の取込みで埋まるかもしれない。
【００２２】
上述のアメリカ合衆国特許出願に記載された如きオシロスコープを実際に実施したものでは、ラスタライザの動作に影響する変数は、最小アタック量として知られている。この最小アタック量は、ラスタ化波形記録内で、ゼロでないデータ・ワードの最小値である。線形波形記録の特性に依存して、ラスタ化波形記録内のゼロでないデータ・ワードは、最小アタック量よりも大きい値（アタック量）を有するかもしれない。オシロスコープの動作に影響を与える他の変数は、減衰レート（減衰率）である。この減衰レートとは、減衰処理回路３４が、表示記録において、ゼロでないデータ・ワードの値を単位時間当たりに低下させる量である。
【００２３】
これら減衰レート及び最小アタック量は、制御器３８により減衰処理回路３４及びラスタライザ２６に夫々供給される値に依存する。
【００２４】
上述のアメリカ合衆国特許出願に記載された如きオシロスコープを実際に実施したものでは、所定信号チャンネル内の事象を表すドットは、赤などの選択された色を有し、明るくされないピクセルは黒である。ドットの輝度は、ラスタ走査メモリ内の対応記憶位置でのデータ・ワードの値に依存する。大きなデータ値では、ドットが鮮明である。データ値が小さくなると、ドットが漸次濃く且つ暗い陰になった後、黒になって見えなくなる。ラスタ走査メモリ内の所定記憶位置のデータ・ワードの値と、それ故に、表示における対応ドットの輝度とは、ラスタ走査メモリのその記憶位置が表す事象に対するアタック量と、減衰レートとに依存する。表示装置を調整して、その表示の輝度及びコントラストを変更できる。コントラストは、事象の頻度の差を表す。これは、より少なくヒットされるピクセルは、より頻繁にヒットされるピクセルよりも暗いためである。コントラスト値が低い場合、より頻繁にヒットされたピクセルの輝度と、より少なくヒットされたピクセルの輝度との差が減少するので、総ての事象が同じような輝度になる。さらに、コントラストは、事象のエッジ・レート（エッジの変化する速度）の差を示し、遅いエッジが早いエッジよりも一層明るくなる。このように、コントラストは、重要な情報を伝える。
【００２５】
ラスタ化の散在ベクトル・モードでベクトルを表示する方法を特徴付ける３個の変数を、本明細書では、ベクトル重みＶＷと、ラスタ重みＷと、ベクトル・フィル（ｖｅｃｔｏｒ  ｆｉｌｌ）Ｎという。なお、ベクトル重みＶＷは、ベクトルにおけるドットのデータ・ワードの総合値に等しい。ラスタ重みＷは、単位アタック当たりの強度の単位量（特定事象に対するラスタ走査メモリに蓄積されたデータ値が、その事象の次の発生により増分する量）に等しい。ベクトル・フィルＮは、ベクトル内のドットの最大数に等しい。
【００２６】
ラスタ化の散在ベクトル・モードにおいて、ベクトルの長さに関係なく、総てのベクトルの輝度を同じに保つために、ベクトル重みＶＷの値は、総てのベクトルにわたってほぼ一定に維持される。ベクトルにおけるドットの実際の数がＮである場合、ＶＷは、Ｗ×Ｎに等しい。所定ベクトル内のドットの実際の数がＮよりも小さい場合、ＶＷを一定に保つために、Ｗの値がそのベクトルに対して増加する。
【００２７】
【発明が解決しようとする課題】
したがって、本発明は、ラスタ走査型デジタル信号取込み及び波形表示装置において、カラー・パラメータの１つ、例えば、表示輝度を変更すると、他のパラメータ、例えば、コントラスト等の他のパラメータも同時に制御できる方法を提供するものである。
【００２８】
【課題を解決するための手段】
本発明は、ラスタ走査メモリ内に蓄積された対応データ・ワードの値に応じたカラー・パラメータで、信号事象を表すドットを表示するラスタ走査型デジタル信号取込み及び波形表示装置の動作方法である。本発明では、ユーザ・インタフェース制御要素からの単一のカラー・パラメータ制御値を受け；この単一のカラー・パラメータ制御値に応答して、ラスタ走査メモリ内に蓄積されたデータ・ワードの値に影響を及ぼすように多数の独立した制御値を発生する。
【００２９】
【発明の実施の形態】
本発明を更に理解し、本発明をどのように実施するかを示すために、以下、図１を参照して本発明の好適実施例を説明する。なお、図１は、信号の流れを容易に説明できるように各ブロックを配置したが、本発明の実施において、これらブロックの配置は図１と対応させる必要はない。なお、図２と同じ構成要素は、同じ参照番号で示し、その詳細説明を省略する。
【００３０】
デジタル・オシロスコープのユーザ・インタフェースに多数の独立した制御ノブを設けて、ベクトル重み及び減衰レートなどの変数を独立に制御することが可能である。これら変数は、表示の見かけに影響を与える。しかし、これは、従来のアナログ・オシロスコープのインタフェース、即ち、単一の輝度制御ノブに馴染んだユーザの一部にとって、困難さや抵抗感を感じる。輝度及びコントラストを夫々制御する２個の制御ノブを設けることも可能である。しかし、ある程度独立して輝度及びコントラストを制御する機能は、多くのユーザにとって馴染みがない。
【００３１】
図１に示すオシロスコープのユーザ制御器（ユーザ・インタフェース制御要素）は、角度位置センサ４６と、このセンサに機械的に結合したノブ４４を含んでいる。このセンサ４６は、ノブ４４の角度位置に依存した数値出力（単一のカラー・パラメータ制御値）を制御器３８に供給する。制御器３８は、位置センサ４６の数値出力に応答して、ラスタライザ２６及び減衰処理回路３４の動作パラメータを調整する。
【００３２】
制御ノブ４４の一端（反時計回転方向に完全に回した位置、即ち、最小値）から他端（時計回転方向に完全に回した位置、即ち、最大値）までの回転には、３つの主要なレンジ（範囲）がある。制御器３８がラスタライザ２６及び減衰処理回路３４の動作パラメータを第１及び第２主要レンジ内で制御する方法を選択すると、従来のアナログ・オシロスコープの輝度制御ノブを回転する効果をまねる（エミュレーション）ことができる。よって、第１主要レンジにおいて、最大輝度が増加する一方、最小輝度がほぼ一定に留まる。よって、コントラスト（最大輝度と最小輝度との比）も増加する。第２主要レンジにおいて、最大輝度が初めに飽和に向かって増加し続ける一方、最小輝度は、最大輝度とほぼ同じレートで増加する。第２主要レンジのこの部分において、コントラストを一定に維持する。第２主要レンジの第２部分において、最大輝度が飽和に達した後、最小輝度が増加し続ける。よって、コントラストは、下がり、最後には、最小輝度が飽和になったときに、ゼロになる。
【００３３】
角度位置センサ４６の出力に応答して、制御器３８により調整される動作パラメータ、即ち、制御値は、減衰処理用の減衰レートと、ラスタライザ用のベクトル重み及び最小アタック量とである。所定ピクセルに対するアタック量は、最小アタック量と、後述の和との内の大きい方である。なお、この和とは、ピクセルに対する現在のデータ値と、ベクトル重みが分子であり、ベクトル長が分母である分数との和である。データ値を１未満の分数と乗算して、この結果を同じメモリ記憶位置に書き戻すか、又は、データ値から定数を減算して、この結果を同じメモリ記憶位置に書き戻すことにより、減衰処理回路３４は、ラスタ走査メモリ内のデータ値を減少させる。
【００３４】
第１主要レンジにおいて、比較的遅いレートで減衰レートを下げると共に、最小アタック値定数を維持している間に、ノブ４４が回転されると、制御器３８は、ベクトル重みを均等に増やす。これは、コントラスト及び表示輝度の両方を増加させる効果がある。（ノブ４４の回転による）コントラストの増分レートは、輝度の増分レートよりもいくらか小さくてもよい。
【００３５】
第２主要レンジにおいて、制御器３８は、最小アタック値を連続的に５０％飽和まで増加させ、ベクトル重みを増やし続ける。また、第２主要レンジにおいて、減衰レートを低下させる。最小アタック値における増分の結果、任意のドットの最小初期輝度が、その最大で、完全に飽和した輝度の５０％である。これらの処置の効果により、輝度が上昇して、稀に生じる事象又はほの暗い事象をユーザが観察するのを援助する。コントラスト・レンジのトップ（頂部）値が飽和レベルに達するような事象頻度の場合、制御ノブ４４を更に回転させると、コントラスト比が低下する。第２主要レンジの端まで、最も規則的な事象は、完全に飽和して現れるので、これらの間にコントラストがない。
【００３６】
第１及び第２主要レンジ内では、減衰レートが単にゆっくりと変化し、その値の範囲は、稀な事象がドットとして示される。なお、このドットは、（最小アタック値に依存して）初めは明るく、かなり高速に黒に減衰する。
【００３７】
ユーザが、第２主要レンジを越して制御ノブ４４を回転し続けると、いくつかの事象が発生しているが、表示されていないとユーザが感じるか、又は、観察すべき事象がもうないことをユーザが確認しようとするかのいずれかであると思われる。よって、第３主要レンジにおいて、副次的なグリッチの如き頻繁ではない事象又は不明瞭な事象を示すために、ノブ４４を回転させると、減衰レートが迅速に小さくなる。ノブが第３主要レンジ内のときに稀な事象が生じると、ノブ４４が第１又は第２主要レンジにあった場合よりも、より低速にその表示が減衰する。この方法において、減衰レートが小さくなる効果は、表示に関与する取込みの数が増加することである。
【００３８】
第１及び第２主要レンジにおいて、ラスタライザ２６は、散在ベクトル・モードに応じて動作する。第３主要レンジにおいて、事象を最大輝度で確実に表示できるようにするために、ラスタライザ２６は、フル・ベクトル・モードで動作する。
【００３９】
ノブ４４が第３主要レンジ内の場合、比較的頻繁な事象又は明るい事象では、顕著なスメアー（にじみ、汚れ）やブラーリング（ぶれ）が生じる。第１及び第２主要レンジ期間中に減衰レートが変化するレートを選択して、第２主要レンジにおける減衰レートの最小値を充分に大きくして、この第２主要レンジにおいて顕著なスメアーやブラーリングが生じないようにする。
【００４０】
ベクトル重み及び最小アタック量の両方を制御する関数は、第２主要レンジの端で変化する。第３主要レベルへの滑らかな遷移を行うために、第２主要レンジの端に達する前に、減衰レートの変化レートが低下し、好ましくは、ゼロに低下する。
【００４１】
３個の主要レンジの間の境界が明瞭に定義されているように、これら３個の主要レンジを説明したが、表示の見かけが突然変化するのを避けるために、これら主要レンジの間がいくらか重なるようにしてもよい。
【００４２】
本発明の好適実施例について上述したが、本発明は、上述の特定実施例に限定されるものではなく、本発明の要旨を逸脱することなく、種々の変形変更が可能である。例えば、上述では、制御ノブの回転に応答して変化するカラー・パラメータが輝度である装置に関連して本発明を説明したが、本発明は、カラー温度表示装置の如き他の装置に適用して、他のパラメータ（カラー温度表示装置の場合は、色相）を変化させてもよい。かかる各場合において、制御器は、輝度を表す角度位置センサの数値出力を、数値に変換して、この数値を色にマッピングすればよい。
【００４３】
【発明の効果】
上述の如く、本発明によれば、輝度の如き単一のカラー・パラメータ制御値を可変すると、このパラメータの制御値だけではなく、他のパラメータの制御値も変化させて、異なるパラメータの関係を維持した表示や、意識的に変えた表示が可能となる。よって、ラスタ走査型デジタル・オシロスコープなどに本発明を適用した場合、単一のユーザ・インタフェース制御要素により、複数のパラメータを同時に制御でき、操作が簡単になる。また、ユーザ・インタフェース制御要素の可変範囲を複数の主要レンジに分割して、各主要レンジで異なる変化特性を変更することもできる。
【図面の簡単な説明】
【図１】本発明をデジタル・オシロスコープに実施した場合の機能を示すブロック図である。
【図２】従来のデジタル・オシロスコープの機能を示すブロック図である。
【図３】図２に示すオシロスコープの動作を説明する図である。
【符号の説明】
１０  表示パネル
１４  ラスタ走査メモリ
１８  Ａ／Ｄ変換器
２２  取込みメモリ
２６  ラスタライザ
３０  ラスタライザ・メモリ
３４  減衰処理回路
３８  制御器
４２  ユーザ制御器
４４  ノブ
４６  角度位置センサ
【図１】
0003563639.tif 000002
【図２】
0003563639.tif 000003
【図３】
0003563639.tif 000004